(57)【要約】【課題】  無線伝送系での伝送異常の検出が的確に得られ、常にＬＡＮデータの正常な伝送維持が得られるようにしたＬＡＮデータ伝送システムを提供すること。【解決手段】  有線伝送路Ｗ１、Ｗ２の間に無線端局Ｔ１、Ｔ２による無線伝送路ＲＤ、ＲＵを含むＬＡＮ伝送系において、一方の無線端局Ｔ２から他方の無線端局Ｔ１に向け、無線伝送路ＲＵを介してポーリングデータＰを送信し、無線端局Ｔ１では、ポーリングデータＰが正しく受信されたら無線伝送路ＲＵによる無線伝送系でのデータ伝送には異常が無いものとし、このとき無線端局Ｔ１では、ポーリングデータＰが正しく受信されたらポーリング応答データＰＡを無線伝送路ＲＤに送信し、無線端局Ｔ２でポーリング応答データＰＡが正しく受信されたら無線伝送路ＲＤによる無線伝送系でのデータ伝送には異常が無いものとするようにしたものである。【選択図】図１
2008258832.tif 000002
【特許請求の範囲】
【請求項１】
有線伝送系の間に無線伝送系を含むＬＡＮデータ伝送システムにおいて、
前記無線伝送系の一方の無線端局からポーリングデータを送信し、前記無線伝送系の他方の無線端局は、前記ポーリングデータが受信されたとき、これに応じてポーリング応答データを送信し、
前記他方の無線端局で前記ポーリングデータが正しく受信されたとき、前記一方の無線端局から当該他方の無線端局までの無線伝送系には異常が無いものと判断し、
前記一方の無線端局で前記ポーリング応答データが正しく受信されたとき、前記他方の無線端局から当該一方の無線端局までの無線伝送系には異常が無いものと判断することを特徴とするＬＡＮデータ伝送システム。
【発明の詳細な説明】
【技術分野】
【０００１】
本発明は、ＬＡＮデータの伝送システムに係り、特に有線伝送系の間に無線伝送系を含むＬＡＮデータ伝送システムに関する。
【背景技術】
【０００２】
ＬＡＮデータの伝送では、通常、双方向伝送が保たれていなければ伝送条件が満足されないから、有線伝送路による伝送では問題無いが、無線伝送系では、同一伝送路(同一チャネル)で双方向の伝送はできないから、一方から他方への伝送(例えば下り)と他方から一方への伝送(例えば上り)に独立した伝送系が必要であり、従って、無線伝送系の場合、下りと上りの一方でも伝送異常が生じた場合には、ＬＡＮデータが満足に伝送できなくなる。
【０００３】
そこで、従来から、図２に示すように、一方のネットワーク機器Ｎ１と他方のネットワーク機器Ｎ２の間を結ぶ際、その伝送系として、一方の有線伝送路Ｗ１と他方の有線伝送路Ｗ２の間に一方の無線端局Ｔ１と他方の無線端局Ｔ２による無線伝送系が含まれているＬＡＮ伝送システムの場合には、無線伝送系の一方の無線伝送路ＲＤによる伝送系と他方の無線伝送路ＲＵによる伝送系の何れか一方でも伝送異常が検出された場合にはデータリンクを切断し、誤ったＬＡＮデータの伝送が継続されてしまうことがないようにしているのが通例である。
【０００４】
ここで、この図２に示したＬＡＮデータ伝送系における一方の無線端局Ｔ１と他方の無線端局Ｔ２について、更に図３により詳しく説明すると、まず、ここには、無線端局としての基本的な機器として夫々ＬＡＮ信号終端回路１０、２０と、無線送受信回路１１、２１だけが示されている。そして、まず、ＬＡＮ信号終端回路１０、２０は、夫々有線伝送路Ｗ１、Ｗ２を介してネットワーク機器Ｎ１、Ｎ２にＬＡＮ接続され、データリンクを確立した後、各ネットワーク機器Ｎ１、Ｎ２から送信されてくるＬＡＮデータを受信し、ＬＡＮデータＲＮ１、ＲＮ２を、各々無線送受信回路１１、２１に供給する。なお、このとき、図示してないが、これらのＬＡＮデータＲＮ１、ＲＮ２は、無線フレーム多重化された状態で無線送受信回路１１、２１に供給されるようになっている。
【０００５】
次に、無線送受信回路１１、２１は、ＬＡＮデータＲＮ１、ＲＮ２を入力し、各々の無線伝送路ＲＤ、ＲＵを介して相手側の無線送受信回路２１、１１に伝送すると共に、相手側の無線送受信回路１１、２１から伝送されてくるＬＡＮデータＲＮ１、ＲＮ２を受信して、各々のＬＡＮ信号終端回路１０、２０に供給し、これにより各々独立した無線伝送路ＲＤ、ＲＵを介して、一方の無線端局Ｔ１と他方の無線端局Ｔ２間で相互にＬＡＮデータＲＮ１、ＲＮ２の無線伝送が得られるようにする。そして、相手側から受信したＬＡＮデータＲＮ１、ＲＮ２は無線フレーム多重化に対する復号化処理され、各々の有線伝送路Ｗ１、Ｗ２を介してネットワーク機器Ｎ１、Ｎ２に供給されることになる。
【０００６】
そして、このような無線伝送系での伝送異常を検出するため、或る従来技術では、ＬＡＮデータの無線フレームに着目し、当該フレームの同期状態から伝送異常を検出する方法について提案している(例えば、特許文献１などを参照。)。
【特許文献１】特開２００５−２１７５６５号公報
【発明の開示】
【発明が解決しようとする課題】
【０００７】
上記従来技術は、伝送異常の検出がＬＡＮデータの状態に依存していない点に配慮がされておらず、ＬＡＮデータの正常な伝送維持に問題があった。
【０００８】
ＬＡＮデータの無線伝送の場合、フレーム同期外れぎりぎりの受信状態になったときの信号では、フレーム内のデータが、いわゆるデータ化けになる虞が多い。しかして、この場合、従来技術では、伝送異常の検出がフレームの同期状態に依存しているので、とにかくフレーム同期が保たれているときは、たとえデータ化けしていても伝送異常は検出されず、この結果、データリンクの切断が得られず、エラーデータが伝送されてしまうことになり、従って、従来技術では、ＬＡＮデータの正常な伝送維持に問題が生じてしまうのである。
【０００９】
本発明の目的は、無線伝送系での伝送異常の検出が的確に得られ、常にＬＡＮデータの正常な伝送維持が得られるようにしたＬＡＮ伝送システムを提供することにある。
【課題を解決するための手段】
【００１０】
上記目的は、有線伝送系の間に無線伝送系を含むＬＡＮデータ伝送システムにおいて、前記無線伝送系の一方の無線端局からポーリングデータを送信し、前記無線伝送系の他方の無線端局は、前記ポーリングデータが受信されたとき、これに応じてポーリング応答データを送信し、前記他方の無線端局で前記ポーリングデータが正しく受信されたとき、前記一方の無線端局から当該他方の無線端局までの無線伝送系には異常が無いものと判断し、前記一方の無線端局で前記ポーリング応答データが正しく受信されたとき、前記他方の無線端局から当該一方の無線端局までの無線伝送系には異常が無いものと判断するようにして達成される。
【発明の効果】
【００１１】
本発明によれば、ポーリングされたデータに基づいて伝送異常が検出されるので、無線同期外れには至らないが、データ化けしている虞がある伝送状態のときも伝送異常として検出することができ、従って、伝送異常によるデータリンクの切断に常に正しく対応することができる。また、この結果、相手機器も、送信しているＬＡＮデータが正しく伝送されているか否かを常に正確に把握することができ、ＬＡＮデータの正しい伝送維持を保つことができる。
【発明を実施するための最良の形態】
【００１２】
以下、本発明に係るＬＡＮデータ伝送システムについて、図示の実施形態により詳細に説明する。
【００１３】
ここで、図１は、本発明の一実施の形態を示すブロック構成図で、これは、図２における一方の無線端局Ｔ１と他方の無線端局Ｔ２を詳細なブロックとして示したもので、従って、図示されていないが、この実施形態においても、一方の有線端局Ｔ１には、有線伝送路Ｎ１を介して一方のネットワーク機器Ｎ１が接続され、他方の有線端局Ｔ２には、有線伝送路Ｎ２を介して他方のネットワーク機器Ｎ２が接続されていて、これらの間でＬＡＮデータが相互に伝送されるようになっている。
【００１４】
そして、この図１の実施形態においても、双方の無線端局Ｔ１、Ｔ２には、無線端局としての基本的な機器として夫々ＬＡＮ信号終端回路１０、２０と、無線送受信回路１１、２１が備えられている点は、図３で説明した従来技術の場合と同じであり、これにより、一方の無線端局Ｔ１と他方の無線端局Ｔ２間で相互にＬＡＮデータＲＮ１、ＲＮ２の無線伝送が得られ、ネットワーク機器Ｎ１、Ｎ２の相互間でＬＡＮデータＲＮ１、ＲＮ２の授受が得られることになる点も、図３で説明した従来技術の場合と同じである。
【００１５】
しかして、この実施形態では、まず、対をなしている無線端局Ｔ１、Ｔ２が主局と従局の夫々に設定されている点で、従来技術の場合とは異なっている。このとき、便宜上、他方の無線端局Ｔ２を主局とし、一方の無線端局Ｔ１を従局とする。次に、その上で、まず、主局に設定した無線端局Ｔ２には、多重回路２２とポーリング制御回路２３、ポーリング生成部２４、ポーリング応答検出部２５、逆多重回路２６、それにＬＡＮリンク制御回路２７を設け、従局に設定した無線端局Ｔ１には、逆多重回路１２とポーリング検出部１３、ＬＡＮリンク制御回路１４、ポーリング制御回路１５、ポーリング応答生成部１６、それに多重回路１７を設けるのである。
【００１６】
次に、この実施形態の動作について説明する。
【００１７】
始めに主局、すなわち、無線端局Ｔ２について説明すると、この場合、まず、ＬＡＮ信号終端回路２０は、有線伝送路Ｗ２を介して他方のネットワーク機器Ｎ２に接続されている。そこで、このＬＡＮ信号終端回路２０は、ネットワーク機器Ｎ２から受信したＬＡＮデータＲＮ２を多重回路２２に供給し、ネットワーク機器Ｎ２に対するＬＡＮリンク状態はポーリング制御回路２３に入力する。このとき、ＬＡＮ信号終端回路２０は、ＬＡＮリンク制御回路２７からの指示により、有線伝送路Ｗ２とのリンクを強制的に切断する機能も備えられている。
【００１８】
次に、ポーリング制御回路２３は、ＬＡＮリンクの状態とＬＡＮリンク制御回路２７からの指示により、従局にポーリングを行うか否かを決め、ポーリング生成部２４に指示する。このときのポーリングは、基本的には所定の頻度で繰り返され、具体的には、ＬＡＮデータの無線フレーム毎に実行されるが、数フレームに１回の頻度にするなど、任意の時点で実行されるようにしてもよい。指示されたポーリング生成部２４は、ポーリングデータＰを生成し、多重回路２２とポーリング応答検出部２５に供給する。そこで多重回路２２は、ＬＡＮ信号終端回路２０から供給されているＬＡＮデータＲＮ２にポーリングデータＰを多重化し、それを無線送受信回路２１に供給し、この結果、無線送受信回路２１から多重化データが無線伝送路ＲＵに送信され、従局(無線端局Ｔ１)に伝送されることになる。このときのポーリングデータの多重化については、無線フレームのヘッダ部とデータ部の何れに多重化してもよく、他の周波数による多重化でもよい。
【００１９】
一方、このとき、無線送受信回路２１では、無線伝送路ＲＤを介して従局から多重化データが受信され、これが逆多重回路２６に供給される。このとき受信される多重化データは、詳細は後述するが、従局のポーリング応答生成部１６で生成されたポーリング応答信号ＰＡが、従局の多重回路１７によりＬＡＮデータＲＮ１に多重化されているデータであり、従って、逆多重回路２６ではＬＡＮデータＲＮ１からポーリング応答信号が分離され、ＬＡＮデータＲＮ１はＬＡＮ信号終端回路２０に供給され、ポーリング応答信号ＰＡはポーリング応答検出部２５に供給される。このときポーリング応答検出部２５には、既に説明したように、ポーリング生成部２４で生成されているポーリングデータＰが入力されている。
【００２０】
そこで、このポーリング応答検出部２５では、逆多重回路２６から供給されたポーリング応答信号ＰＡをポーリング生成部２４から入力されているポーリングデータＰと比較し、ポーリングデータＰが正しく受信されているか否かを判定し、その結果をＬＡＮリンク制御回路２７に供給する。このとき、ＬＡＮリンク制御回路２７には、ポーリング制御回路２３から従局にポーリングを行うか否かを指示する信号が入力されている。そこでＬＡＮリンク制御回路２７は、このポーリング制御回路２３から入力されている信号と、ポーリング応答検出部２５から入力される判定結果に応じて、ＬＡＮ信号終端回路２０と有線伝送路Ｗ２との間のリンクを強制的に切断するか否かを決め、それをＬＡＮ信号終端回路２０に指示する。
【００２１】
このときのポーリング制御回路２３とＬＡＮリンク制御回路２７による処理について、具体的に説明すると、まず、ポーリング制御回路２３は、ＬＡＮリンク制御回路２７からリンクアップ、つまりＬＡＮ信号終端回路２０と有線伝送路Ｗ２のリンクを確立せよという指示が出されているのに、ＬＡＮ信号終端回路２０のＬＡＮリンク状態がリンクダウン、つまりリンク切断状態であった場合、ポーリング生成部２４にポーリング中止を指示する。次に、ＬＡＮリンク制御回路２７は、ポーリング制御回路２３からポーリング生成部２４にポーリング送信が指示されているにもかかわらず、ポーリング応答検出部２５ではポーリング応答信号が受信されないことが通知されたとき、ＬＡＮ信号終端回路２０にリンクダウンを指示するのである。
【００２２】
但し、実機の場合、指示が出されてから実際に指示通りの状態になるまでにタイムラグがあり、従って、実際の装置では待ち時間を設定するなどの何らかの対策が必要になることはいうまでもない。
【００２３】
また、以上の説明から明らかなように、ここにいう“ポーリング”とは、主局から或る情報を従局に送信し、その結果として、従局が、その情報を主局に返送するまでの一連の行為のことであり、このとき、主局において、そこから送信した情報、すなわちポーリングデータＰと、そこで受信された情報、すなわちポーリング応答信号ＰＡが一致すれば、無線伝送系での通信状態に異常が無いものとするためになされるものである。
【００２４】
次に、従局、すなわち無線端局Ｔ１の動作について説明すると、この場合、従局は、主局から無線伝送路ＲＵを介して伝送されてきた多重化データを、無線送受信回路１１で受信し、それを逆多重回路１２に入力してＬＡＮデータＲＮ２とポーリングデータＰに逆多重化する。そして、まず、ここで分離されたＬＡＮデータＲＮ２はＬＡＮ信号終端回路１０に供給され、ここから有線伝送路Ｗ１に出力され、この結果、図２に示されている一方のネットワーク機器Ｎ１にＬＡＮデータＲＮ２が伝送されることになる。
【００２５】
他方、逆多重回路１２で分離されたポーリングデータＰはポーリング検出部１３に供給され、ここで、いま、入力されたポーリングデータＰが自局宛か否かなど正しいデータか否かが判定される。そして、判定結果はＬＡＮリンク制御回路１４に供給され、ポーリングデータＰ自体はポーリング応答生成部１５に供給される。このとき、主局から必ずポーリングデータが送信されるとは限らない。そこで実機の場合、ポーリング検出部１３、或いは、このときの検出結果を受け取るＬＡＮリンク制御回路１４などにおいてポーリングデータが未受信であるとする場合には、タイマ、カウンタなどを用い、所定のタイムアウト処理、未受信回数の所定カウント処理、ポーリングデータ受信番号チェック処理などの後でポーリングデータが未検出であるとすることもある。
【００２６】
ＬＡＮリンク制御回路１４は、ポーリング検出部１３から供給されるポーリング検出結果と、ポーリング制御回路１５から供給されるポーリング応答を行うか否かの指示を入力して、ＬＡＮ信号終端回路１０による有線伝送路Ｗ１とのリンクを強制的に切断させるか否かを決め、結果をＬＡＮ信号終端回路１０に指示する。そこで、ＬＡＮ信号終端回路１０は、リンク切断が指示された場合、有線伝送路Ｗ１とのリンクを強制的に切断する。
【００２７】
このときポーリング制御回路１５は、ＬＡＮリンク制御回路１４からの指示と、ＬＡＮ信号終端回路１０のＬＡＮリンク状態からポーリング応答を行うか否かを決め、ポーリング応答生成部１６に指示する。
【００２８】
このときポーリング応答生成部１６は、ポーリング制御回路１５から指示されたとき動作し、ポーリング検出部１３から供給されているポーリングデータＰに基づいてポーリング応答データＰＡを生成する。そして、それを多重回路１７に供給する。このとき多重回路１７にはＬＡＮ信号終端回路１０からＬＡＮデータＰＮ１が入力されている。そこで、多重回路１７では、このＬＡＮデータＰＮ１にポーリング応答データＰＡが多重化され、無線送受信回路１１に多重化データが供給されるようになり、この結果、無線伝送路ＲＤを介して多重化データが主局に伝送され、上記した主局での動作に引き継がれることになる。そして、このときのポーリング応答データの多重化については、主局の場合と同じにする。
【００２９】
従って、この実施形態によれば、ポーリングデータＰに基づいて伝送異常が検出されるので、無線同期外れには至らないが、データ化けしている虞がある伝送状態ときも伝送異常として検出することができ、従って、伝送異常によるＬＡＮ信号終端回路１０、２０によるデータリンクの切断に常に正しく対応することができる。また、この結果、ネットワーク機器Ｎ１、Ｎ２でも、送信しているＬＡＮデータが正しく相手方に伝送されているか否かを常に正確に把握することができ、ＬＡＮデータの正しい伝送維持を保つことができる。
【００３０】
また、この実施形態によれば、主局からポーリングする頻度が、例えばＬＡＮデータの無線フレーム毎に実行されるようにしたり、数フレームに１回の頻度で実行されるようにするなど、任意の頻度と任意の時点で実行されるように決めることができる。ここで、例えば無線フレーム毎に実行されるようにした場合、ＬＡＮデータが受信されるタイミングの都度、異常の有無を調べることができる反面、必要以上の短い周期でリンクアップとリンクダウンの検出がなされてしまい、結果としてネットワーク系の切替が頻発してしまうという事態の虞がある。しかし、このとき、上記実施形態では、頻度が変えられるので、伝送状態に応じて適切な頻度にすることができ、切替の頻発に的確に対処できる。
【００３１】
更に、この実施形態によれば、上記したように、ポーリング頻度が選べるので、異常検出精度を調整することができる。具体的には、ポーリングを無線フレームの全てで実行したり、或いは数フレームに１回の割合にするなどの制御をすると共に、リンクダウンとリンクアップするための条件を決めるのに、ポーリング応答の未受信と受信の判定に回数の閾値を設けたり、タイムアウト回数に閾値を設けたりすることにより、的確な異常検出精度が調整でき、特にリンクアップは連続した異常検出により初めて安定した運用が可能であることが判断できるので、ネットワーク系の切替の頻発に有効である。
【００３２】
なお、以上に説明した実施形態では、主局に設定された無線端局Ｔ２からポーリングデータＰが送信され、従局に設定された無線端局Ｔ１が応答し、これからポーリング応答データＰＡが折り返し送信するようにしているが、反対に、無線端局Ｔ１が主局に設定され、無線端局Ｔ２が従局に設定されるようにしてもよく、更には双方からポーリングが行われ、ポーリング応答がなされるようにしてもよいことはいうまでもない。
【図面の簡単な説明】
【００３３】
【図１】本発明に係るＬＡＮデータ伝送システムの一実施の形態を示すブロック構成による説明図である。
【図２】本発明の適用対象であるＬＡＮ伝送系の一例を示すブロック構成図である。
【図３】従来技術によるＬＡＮデータ伝送システムの一例を示すブロック構成による説明図である。
【符号の説明】
【００３４】
Ｔ１：無線単局(従局)
Ｔ２：無線単局(主局)
Ｗ１、Ｗ２：有線伝送路
ＲＤ：無線伝送路(下り)
ＲＵ：無線伝送路(上り)
１０、２０：ＬＡＮ信号終端回路
１１、２１：無線送受信回路)
１２、２６：逆多重回路
１３：ポーリング検出部
１４、２７：ＬＡＮリンク制御回路
１５、２３：ポーリング制御回路
１６：ポーリング応答生成部
１７、２２：多重回路
２４：ポーリング生成部
２５：ポーリング応答検出部
【図１】
2008258832.tif 000003
【図２】
2008258832.tif 000004
【図３】
2008258832.tif 000005